(57)【特許請求の範囲】
【請求項１】
座席本体と、前記座席本体の前方に設けられて座席本体に着座する被施療者の下腿をマッサージするオットマンとを備え、
前記座席本体は、座席本体の骨格を構成するフレーム組立体を有し、
前記オットマンは、前記フレーム組立体の下部に前後方向に無段階に変位可能に連結される変位部材と、
前記変位部材の前端部に設けられて左右方向に延在する連結軸と、
下端部分が前記連結軸を介して前記変位部材の前端部に回動可能に連結され上端部分が前記連結軸回りに前後方向に変位可能である柱部材と、
前記柱部材に設けられて上向きの傾斜姿勢で傾斜角度を無段階に調整可能であり被施療者の下腿を保持する下腿保持部と、
前記柱部材に設けられて該柱部材の下方に繰り出されあるいは上方へ引き込まれるロッドと、
前記ロッドの下端に固定される枠体と、
前記枠体に上向きに設けられて上下方向に無段階に調整可能であり被施療者の足裏を支持する足裏支持部とを有する、マッサージ機。
【請求項２】
前記オットマンは、前記足裏支持部を下方から上方に向かって付勢する足裏支持部付勢部材をさらに有する、請求項１に記載のマッサージ機。
【請求項３】
前記足裏支持部は、前記座席本体が設置される設置面まで下降可能である、請求項１または２に記載のマッサージ機。
【請求項４】
前記オットマンは、前記座席本体の座面前方端よりも後方にあって前記座席本体の座面よりも下方に形成される座面下空間に収納される収納位置と、前記座席本体の座面前方端よりも前方で被施療者のマッサージに供される使用位置との間を変位可能である、請求項１〜３のいずれかに記載のマッサージ機。
【請求項５】
前記下腿保持部は、上端部分が前記収納位置で前記連結軸よりも後方に倒される、請求項４に記載のマッサージ機。
【請求項６】
前記オットマンは、後方に倒された前記下腿保持部を前記連結軸回りに起立するよう付勢する下腿保持部付勢部材をさらに有する、請求項５に記載のマッサージ機。
【請求項７】
前記足裏支持部は、前記収納位置で前記座面下空間の前端開口を塞ぐ、請求項５または６に記載のマッサージ機。
【請求項８】
前記座席本体に設けられてロック位置および解除位置にされるロック部材と、前記変位部材に設けられてロック位置にされた前記ロック部材と係合する被係合部材と、前記ロック部材をロック位置と解除位置に動作させる操作部とを有し、前記収納位置で前記変位部材を前後方向移動不能にするロック機構をさらに備える、請求項４〜７のいずれかに記載のマッサージ機。
【請求項９】
前記ロック機構は、前記収納位置にされた前記変位部材を前方へ付勢する前方付勢部材をさらに有する、請求項８に記載のマッサージ機。
【発明の詳細な説明】
【技術分野】
【０００１】
本発明は、マッサージチェア等のマッサージ機に関するものであって、特に座席本体の座部前方に付設されて被施療者の下腿、足および足裏をマッサージするオットマンに関する。
【背景技術】
【０００２】
典型的な椅子型マッサージ機では、座席本体の背もたれ部に設けられたもみ玉や施療子等と呼ばれる施療体を前後方向および上下方向に移動させることによって被施療者に対する叩き動作や揉み動作を行うことが一般的である。また、座席本体の座部前方にオットマンをさらに備え、オットマンに設けられたエアバッグ等の施療体が、オットマンに載せられる被施療者の下腿をマッサージするマッサージ機も商品化されている。オットマン付の椅子型マッサージ機としては従来、例えば、特開２０１０−７５４２１号公報（特許文献１）に記載のごときものが知られている。
【０００３】
特許文献１に記載のマッサージ機は、使用しない収納状態でオットマンを座部の下方に収納することができ、使用の際にオットマンを座部よりも前方に引き出す。オットマンは下腿保持部と足先保持部を有する。収納状態で、下腿保持部は下腿保持面を下方へ向けた姿勢にされ、足先保持部は足先保持面を後方に向けた姿勢にされる。そしてオットマン全体が前方へ移動すると、足先保持部はそのまま前方へスライド移動するのに対して、下腿保持部は前方へのスライド移動を途中で規制されるとともに前後方向所定位置で前端部分を上方へ持ち上げるよう回動起立し、下腿保持面を前方に向けた姿勢になる。また足先保持部は爪先側を前方に倒すように回転し、足先保持面を上方に向けた姿勢になる。こうしてオットマンは使用状態にされるというものである。
【先行技術文献】
【特許文献】
【０００４】
【特許文献１】特開２０１０−７５４２１号公報
【発明の概要】
【発明が解決しようとする課題】
【０００５】
被施療者は大小様々な体格であるにも関わらず、上記従来のようなマッサージ機にあっては、オットマンの位置を使用状態で微調整することができない。このため、以下に説明するような問題を生ずる。
【０００６】
第１に、好適な施療を受けるために、被施療者の下腿を下腿保持部の下腿保持面に密着させる必要があるが、オットマンの下腿保持部を前後方向に調整することができない。座席本体に着座する被施療者の臀部から膝窩までの距離は、被施療者の体格毎に様々であり、被施療者が着座し、座面下方のオットマンを前方へ引き出して使用する場合、下腿保持部の下腿保持面が被施療者の下腿に必ず密着するものではない。例えば大柄な被施療者であれば、下腿が下腿保持部よりも前方に離れてしまう。このため、被施療者に座り直しを強いてしまう。
【０００７】
第２に、オットマンの下腿保持部を角度調整することができない。このため、座席本体の座面からオットマンの下腿保持部までの上下方向高さを調整することができない。座席本体に着座する被施療者の足首から膝窩までの距離、換言すると下腿の長さないし大きさは、被施療者の体格毎に様々であり、オットマンの下腿保持部が被施療者の下腿を好適に保持するとは限らない。例えば大柄な被施療者であれば、被施療者の足部をオットマンの足先保持面に載せると、被施療者の膝窩がオットマンの下腿保持部よりも上方に浮いてしまう。
【０００８】
第３に、オットマンの足先保持部を上下方向に調整することができない。マッサージを受けたい下腿の部位が被施療者毎に異なる場合があっても、下腿保持部に設けられたマッサージ部から足先保持部の足先保持面までの上下方向高さを、被施療者の好みの高さに調整することができない。また、小柄な被施療者であれば、被施療者の足部がオットマンの足先保持面に届かない。
【０００９】
本発明は、上述の実情に鑑み、被施療者の体格に柔軟に対応可能なオットマンを備えたマッサージ機を提供することを目的とする。
【課題を解決するための手段】
【００１０】
この目的のため本発明によるマッサージ機は、座席本体と、座席本体の前方に設けられて座席本体に着座する被施療者の下腿をマッサージするオットマンとを備え、座席本体は、座席本体の骨格を構成するフレーム組立体を有し、オットマンは、フレーム組立体の下部に前後方向に無段階に変位可能に連結される変位部材と、変位部材の前端部に設けられて左右方向に延在する連結軸と、下端部分が連結軸を介して変位部材の前端部に回動可能に連結され上端部分が連結軸回りに前後方向に変位可能である柱部材と、柱部材に設けられて上向きの傾斜姿勢で傾斜角度を無段階に調整可能であり被施療者の下腿を保持する下腿保持部と、柱部材に設けられて該柱部材の下方に繰り出されあるいは上方へ引き込まれるロッドと、ロッドの下端に固定される枠体と、枠体に上向きに設けられて上下方向に無段階に調整可能であり被施療者の足裏を支持する足裏支持部とを有する。
【００１１】
かかる本発明によれば、変位部材を前後方向に無段階に微調整可能となり、下腿保持部および足裏支持部の前後方向位置を所望の位置にすることができる。また、下腿保持部の回動角度を無段階に微調整可能となり、下腿保持部および足裏支持部を所望の角度にすることができる。さらに、足裏支持部を上下方向に無段階に微調整可能となり、下腿保持部および足裏支持部の距離を所望の距離にすることができる。したがって、大小様々な体格である被施療者に適合することができる。変位部材は前後方向に変位するものであればよく、その構造は特に限定されない。例えば変位部材は、入れ子式ロッドによって座席本体に対し前後方向に変位してもよいし、あるいはラック・アンド・ピニオンによって座席本体に対し前後方向に変位してもよいし、レールや長孔等に沿ってスライドすることにより座席本体に対し前後方向に変位してもよい。
【００１２】
下腿保持部は、被施療者の下腿に沿って上下方向に延びる。そして下腿保持部が設けられる柱部材は、下端部分が左右方向に延在する連結軸を介して変位部材の前端部に回動可能に連結され、上端部分が連結軸回りに前後方向に変位可能である。
【００１３】
本発明は一実施形態として、下腿保持部の回動を停止させる固定ねじ等を有してもよい。また他の実施形態として、下腿保持部は、被施療者の下腿が下腿保持部に与える力や、被施療者の足が足裏支持部に与える力によって、被施療者の好みの角度および位置に保持される。
【００１４】
本発明は一実施形態として、足裏支持部の変位を停止させる固定ねじ等を有してもよい。また他の実施形態として、オットマンは、足裏支持部を下方から上方に向かって付勢する足裏支持部付勢部材をさらに有するとよい。かかる実施形態によれば、足裏支持部付勢部材の付勢力と、足裏が足裏支持部を踏み込む力および足の重量とが釣り合った位置に、足裏支持部を保持することができる。
【００１５】
足裏支持部は下腿保持部に支持されることから、足の重みは下腿保持部によって受け持たれる。好ましい実施形態として足裏支持部は、座席本体が設置される設置面まで下降可能である。かかる実施形態によれば、被施療者が足裏支持部に全体重を載せても、足裏支持部５１が下降して設置面に当接することができる。これにより被施療者の体重を設置面に逃がすことができ、体格の大きな被施療者の体重によってオットマンが破損することを防止することができる。
【００１６】
オットマンは、座席本体内部に収納されてもよいし、されなくてもよい。好ましい実施形態として、オットマンは、座席本体の座面前方端よりも後方にあって座席本体の座面よりも下方に形成される座面下空間に収納される収納位置と、座席本体の座面前方端よりも前方で被施療者のマッサージに供される使用位置との間を変位可能である。かかる実施形態によれば、オットマンを使用しないときはマッサージ機をコンパクトに縮小することができる。
【００１７】
下腿保持部は、上下方向に延びた姿勢のまま、あるいは上端部分が連結軸よりも前方に倒されて、座面下空間に収納されてもよい。好ましい実施形態として、下腿保持部は、上端部分が収納位置で連結軸よりも後方に倒されるとよい。かかる実施形態によれば、使用状態で上下方向に延びる下腿保持部を、前後方向に延びる姿勢に変更して座席下に好適に収納することができる。
【００１８】
１実施形態として、オットマンは、後方に倒された下腿保持部を連結軸回りに起立するよう付勢する下腿保持部付勢部材をさらに有してもよい。かかる実施形態によれば、被施療者が下腿保持部を回動する際、被施療者の負担が軽減される。したがって例えば、被施療者は容易に、水平姿勢にされた下腿保持部を回動起立させることができる。なおオットマンは下腿保持部付勢部材を有さなくもよい。
【００１９】
足裏支持部は、座面下空間に収納されればよく、その姿勢および位置は特に限定されない。好ましい実施形態として、足裏支持部は、収納位置で座面下空間の前端開口を塞ぐとよい。かかる実施形態によれば、オットマンは目立たなくされ、きれいに片づけられる。
【００２０】
収納状態にされたオットマンは、なんら拘束されることなく前方へ移動可能であってもよいが、好ましい実施形態として、座席本体に設けられてロック位置および解除位置にされるロック部材と、変位部材に設けられてロック位置にされたロック部材と係合する被係合部材と、ロック部材をロック位置と解除位置に動作させる操作部とを有し、収納位置で変位部材を前後方向移動不能にするロック機構をさらに備えるとよい。かかる実施形態によれば、収納状態のオットマンが不用意に前方へ進出することがない。
【００２１】
収納状態にされたオットマンは、被施療者が引き出すことによって座面下空間から前方へ進出するものであってもよいが、好ましい実施形態として、ロック機構は、収納位置にされた変位部材を前方へ付勢する前方付勢部材をさらに有するとよい。かかる実施形態によれば、被施療者が操作部を操作してロック部材を解除位置にすれば、自動的に前方へ進出する。したがって、オットマンを容易に使用状態にすることができる。前方付勢部材の構造は特に限定されない。前方付勢部材は例えばばねなどの弾性部材である。
【発明の効果】
【００２２】
本発明は、オットマンの位置及び姿勢を使用状態で無段階に微調整することが可能であり、大小様々な体格である被施療者に適合する。したがって被施療者が下腿をオットマンに合わせようとして座り直す必要がない。また、被施療者が大きな体格であっても膝窩が座面から浮いてしまうことなく下腿の好みの部位をマッサージすることができる。
【図面の簡単な説明】
【００２３】
【図１】本発明の一実施例になるマッサージ機を示す斜視図であって、オットマンの収納状態を表す。
【図２】同実施例のマッサージ機を示す斜視図であって、オットマンの使用状態を表す。
【図３】オットマンの収納状態を示す側面図である。
【図４】オットマンの収納状態と使用状態との途中の状態を示す側面図である。
【図５】オットマンの使用状態を示す側面図である。
【図６】オットマンのフレームを取り出して示す斜視図である。
【図７】マッサージ機のフレーム全体を示す斜視図である。
【図８】スライドフレームの動きおよびロック機構の動きを示す説明図である。
【図９】スライドフレームの動きおよびロック機構の動きを示す説明図である。
【図１０】下腿保持部に含まれる柱材および側壁板が水平姿勢にされた状態を示す説明図である。
【図１１】下腿保持部に含まれる柱材および側壁板が傾斜姿勢にされた状態を示す説明図である。
【図１２】下腿保持部に含まれる柱材および側壁板が垂直姿勢にされた状態を示す説明図である。
【図１３】足裏支持部に含まれる枠体が下腿保持部に含まれる側壁板に最も引き寄せられた状態を示す説明図である。
【図１４】足裏支持部に含まれる枠体が下腿保持部に含まれる側壁板から最も離れた状態を示す説明図である。
【発明を実施するための形態】
【００２４】
以下、本発明の実施の形態を、図面に示す実施例に基づき詳細に説明する。
【００２５】
図１は、本発明の一実施例になるマッサージ機を示す斜視図であって、オットマンの収納状態を表す。図２は、同実施例のマッサージ機を示す斜視図であって、オットマンの使用状態を表す。図３はオットマンの収納状態を示す側面図である。図４はオットマンの収納状態と使用状態との途中の状態を示す側面図である。図５は、オットマンの使用状態を示す側面図である。
【００２６】
マッサージ機１０は、被施療者が着座する座席本体１１と、座席本体１１に設けられて被施療者の下腿をマッサージするオットマン２１とを備える。オットマン２１は、図２および図５に示す使用時に、座席本体１１よりも前方に移動される。かかる使用状態で、オットマン２１は座席本体１１に着座する被施療者の下腿を保持する。これに対し図１および図３に示す不使用時には、オットマン２１が座席本体１１の内部に収納される。かかる収納状態で、オットマン２１は座席本体１１の外方には存在せず、マッサージ機１０はすっきりと縮小される。
【００２７】
座席本体１１は、座面１２が形成される座部１３と、背もたれ面１４が形成される背もたれ部１５を有する。座面１２は被施療者の臀部および大腿を支持する。背もたれ面１４は被施療者の背中を支持する。
【００２８】
オットマン２１は、座席本体１１に着座する被施療者の下腿をマッサージする組立体であり、図２に示すようにスライドフレーム３１と、下腿保持部４１と、足裏支持部５１とを有する。下腿保持部４１は、上下方向に延びる前向きの平坦な下腿保持面４２ｌ，４２ｒを左右に有する。また下腿保持部４１には、左右両縁から前方へ立ち上がる側壁４４ｌ，４４ｒと、下腿保持面４２ｌ，４２ｒの間から前方へ立ち上がる仕切り壁４５とが形成される。そして、これら側壁４４ｌと、下腿保持面４２ｌと、仕切り壁４５と、下腿保持面４２ｒと、側壁４４ｒとで、下腿保持部４１は図２に示すように上から見てＥ字状の形状にされる。これらのうち側壁４４ｌ、下腿保持面４２ｌ、および仕切り壁４５は被施療者の左下腿を保持する。また仕切り壁４５、下腿保持面４２ｒ、および側壁４４ｒは被施療者の右下腿を保持する。以下において、左右を区別する必要が特にない場合、単に下腿保持面４２、側壁４４と呼ぶ場合がある。
【００２９】
側壁４４ｌ，４４ｒの内側壁面と、下腿保持面４２ｌ，４２ｒと、仕切り壁４５の両壁面にはエアバッグや振動源などの施療体が配置されており、かかる施療体を駆動して被施療者の下腿にマッサージを施す。したがって十分なマッサージを受けるためには、下腿を下腿保持面４２ｌ，４２ｒに密着させなければならない。
【００３０】
足裏支持部５１は、被施療者の足裏が載せられる上向きの平坦な足裏支持面５２ｌ，５２ｒを左右に有する。また足裏支持部５１には、左右両縁から上方へ立ち上がる側壁５４ｌ，５４ｒと、足裏支持面５２ｌ，５２ｒの間から上方へ立ち上がる仕切り壁５５とが形成される。足裏支持部５１は、伸縮可能な左右１対のロッド５３，５３を介して、下腿保持部４１の下方に取り付けられ、上下方向に変位可能とされる。以下において、左右を区別する必要が特にない場合、単に足裏支持面５２、側壁５４と呼ぶ場合がある。
【００３１】
側壁４４ｌの下部には、側壁５４ｌと同じ形状の切欠きが形成される。また、仕切り壁４５の下部には、仕切り壁５５と同じ形状の切欠きが形成される。また、側壁４４ｒの下部には、側壁５４ｒと同じ形状の切欠きが形成される。これにより、ロッド５３を短くすると、側壁５４が側壁４４の下部に嵌り合うとともに、仕切り壁５５が仕切り壁４５の下部に嵌り合い、オットマン２１をすっきりとしたコンパクトな形状に縮小することができる。
【００３２】
側壁５４ｌの左右幅は側壁４４ｌの左右幅と同じであり、仕切り壁５５の左右幅は仕切り壁４５の左右幅と同じであり、側壁５４ｒの左右幅は側壁４４ｒの左右幅と同じである。これにより、ロッド５３を短くすると、下腿保持部４１および足裏支持部５１を１個の連続した形状にまとめることができる。
【００３３】
スライドフレーム３１は、座席本体１１の下部に前後方向に変位可能に連結される変位部材であって、前後方向に延び、その後端領域が座席本体１１に前後方向スライド可能に連結され、その前端部が連結軸４３を介して下腿保持部４１の下端部と連結する。連結軸４３は左右方向に延びる軸線である。したがって下腿保持部４１は、その下端部分を回転中心として、その上端部分が前後方向に回動可能とされる。
【００３４】
スライドフレーム３１の作用として、オットマン２１は、後方の収納状態と前方の使用状態との間を移動可能とされ、さらにオットマン２１は図５に矢印Ａで示すように、使用状態で前後方向位置を無段階に微調整可能とされる。
【００３５】
連結軸４３の作用として、下腿保持部４１は、収納状態で上向きに倒され使用状態で前向きに起立し、さらに下腿保持部４１は図５に矢印Ｂで示すように、使用状態で傾斜角度を無段階に微調整可能とされる。特に連結軸４３とスライドフレーム３１が相俟って、下腿保持面４２ｌ，４２ｒの前後方向位置を調整しつつ傾斜角度を調整することができる。したがって、被施療者の体格の大きさや、被施療者の臀部から膝窩までの距離（大腿の長さ）の長短にかかわらず、被施療者は下腿を下腿保持面４２ｌ，４２ｒに密着させることができる。この結果、被施療者は座面１４の上で座り直さなくても、下腿のマッサージを好適に受けることができる。
【００３６】
ロッド５３の作用として、足裏支持部５１は、収納状態で下腿保持部４１に引き寄せられ、使用状態で図５に矢印Ｃで示すように上下方向位置を無段階に微調整可能とされる。厳密にいえば下腿保持部４１が後傾する場合にあっては、下前方から後上方までの位置を無段階に微調整可能とされる。つまり下腿保持部４１から足裏支持部５１までの距離を調整可能とされる。したがって、マッサージ機１０が置かれる設置面Ｇから座面１２の前方端までの座面高や、被施療者の体格の大きさや、被施療者の膝窩から足首までの距離（下腿の長さ）の長短にかかわらず、下腿のうちの施療を所望する部位を下腿保持部４１に合わせることができる。この結果、下腿のマッサージを効果的に受けることができ、施療者の要望を高次元で満たすことができる。
【００３７】
下腿保持部４１および足裏支持部５１の前後方向および傾斜角度の調整は、被施療者が足裏で足裏支持面５２ｌ，５２ｒを踏み込み、膝を屈曲させて下腿で下腿保持面４２ｌ，４２ｒを倒し込み、好みの位置および角度に移動させることにより行う。詳しくは後述するが、オットマン２１は、足裏支持部５１を下方から上方に向かって付勢する足裏支持部付勢部材を有する。そして足裏支持部５１は、被施療者の踏み込み力と下腿の重量との合計が足裏支持部付勢部材の付勢力と釣り合う位置にされる。
【００３８】
このように本実施例によれば、図５に示す矢印Ａ，Ｂ，Ｃの調整を同時に行うことができるため、被施療者の下腿および足がオットマン２１に与える力の強さおよび方向を適宜加減変更することにより、下腿保持部４１を、被施療者の所望する前後方向位置および傾斜角度に無段階に微調整することができる。また同様に、足裏支持部５１を、被施療者の所望する前後方向位置、上下方向位置、および傾斜角度に無段階に微調整することができる。
【００３９】
また本実施例では、被施療者が足裏支持面５２ｌ，５２ｒに体重をかけると、足裏支持部５１が下降して設置面Ｇに当接することができる。これにより被施療者の体重を設置面Ｇに逃がすことができ、体格の大きな被施療者の体重によってオットマン２１が破損することを防止することができる。
【００４０】
オットマン２１を収納状態から使用状態にする手順につき補足説明する。
【００４１】
下腿保持面４２を上向きにし、足裏支持面５２を後ろ向きにして、オットマン２１は座席本体１１の座面前方端１２ａよりも後方にあって座面１２よりも下方に形成される座面下空間に収納される。オットマン２１が収納状態にされたまま（図３）、座席本体１１に着座する被施療者が後述する操作レバーを操作すると、図４に示すようにオットマン２１の一部が座面前方端１２ａを越えて前方へ進出する。次に被施療者が爪先あるいは踵で、足裏支持部５１を前方へ押し出すと、オットマン２１はさらに前方に移動する。そして、被施療者が足裏支持部５１を所望の位置および傾斜角度にするために足裏支持面５２に力を加えてやると、図５に示すように下腿保持部４１が回動起立し、足裏支持部５１が下腿保持部４１から下方に移動して、オットマン２１は使用状態にされる。
【００４２】
反対に、使用状態のオットマン２１を収納する際には、被施療者が足裏等で下腿保持部４１の上端部分を踏み込んで後方に倒し、下腿保持面４２を上向きにするとともに、足裏支持面５２を後ろ向きにする。そして足裏支持部５１を後方へ押し込むとよい。これによりロッド５３が短くされるとともに、スライドフレーム３１が後方へ移動し、オットマン２１は、図５に示す使用状態から、図４に示す途中の状態を経て、図３に示す収納状態まで後方に移動する。
【００４３】
なお足裏支持部５１は、収納状態で、図１に示すように座面１２よりも下の座面下空間の前端開口を塞ぐ。これにより、オットマン２１は目立たなくされ、きれいに片づけられる。しかも本実施例では、足裏支持部５１が座面下空間の前端開口と同じ形状にされて、前端開口に嵌り込む。
【００４４】
次に、オットマン２１の動きを詳細に説明する。
【００４５】
図６は、オットマンのフレームを取り出して示す斜視図であり、図２および図５に示す姿勢にされるオットマンを表す。フレーム組立体２２は、オットマン２１の骨格を構成し、前述したスライドフレーム３１と、下腿保持部４１の骨格を構成する側壁板４４ｆ、柱部材４４ｃ、およびパイプ４６と、パイプ４６とスライドフレーム３１とを接続する案内部材４７と、前述したロッド５３と、足裏支持部５１の骨格を構成する平坦な枠体５６とを組み立てた集合体である。
【００４６】
スライドフレーム３１は前後方向に延びる左右一対の長手フレーム３２と、左右方向に延びて左右一対の長手フレーム３２，３２同士を連結する短手フレーム３３とを有する。短手フレーム３３は前端部と後端部と中央部の３箇所に架設される。長手フレーム３２の後端部には、左右１対の車輪３４が取り付けられ、長手フレーム３２の中央部にも、左右１対の車輪３４が取り付けられる。長手フレーム３２の前端部にはブラケット３５が結合し、ブラケット３５の上端には連結軸４３が取り付けられる。
【００４７】
下腿保持部４１に含まれる左右１対の側壁板４４ｆは、左右１対の側壁４４ｌ，４４ｒの芯材であり、左右方向に延びるパイプ４６によって互いに連結されている。また、各側壁板４４ｆには柱部材４４ｃが剛結されている。柱部材４４ｃの一端は連結軸４３を介して、ブラケット３５に回動可能に連結される。
【００４８】
下腿保持部４１に含まれるパイプ４６は上段、中段、下段の３箇所に設けられ、下段のパイプ４６の左右方向中央部にはブラケット４８が結合する。詳しくは後述するが、ブラケット４８には左右に突出する突起４８ｐが形成され、この突起４８ｐが案内部材４７の左右両側に形成された長孔４７ｓを貫通する。これによりブラケット４８の突起４８ｐは長孔４７ｓに沿って案内される。
【００４９】
下腿保持部４１に含まれる案内部材４７は、詳しくは後述するが、スライドフレーム３１の前端部分に回動可能に連結され、下腿保持部４１の回動範囲を規定する。
【００５０】
図７は、マッサージ機のフレーム全体を示す斜視図であり、図１および図３に示す収納状態を表す。フレーム組立体１１ｆは、座席本体１１の骨格を構成し、座面１２の両側縁および前方縁に沿って延びるコ字状の座面フレーム１２ｆと、背もたれ面１４の両側縁に沿って延びる左右１対の背もたれ面フレーム１４ｆと、座面１２の前後左右の４箇所で上下方向に延びて座面フレーム１２ｆおよび背もたれ面フレーム１４ｆを支持する縦材１３ｆと、座部１３の下部で前後方向に延びて縦材１３ｆの下端と連結する左右１対の前後フレーム１６ｆと、座部１３の下部で左右方向に延びて前後フレーム１６ｆ同士を連結する前後１対の左右フレーム１７ｆとを有する。
【００５１】
上方に位置する座面フレーム１２ｆと、下方に位置する前後フレーム１６ｆおよび左右フレーム１７ｆとの間には、座面下空間が形成される。そしてこの座面下空間にオットマン２１のフレーム組立体２２が収納される。
【００５２】
前後１対の左右フレーム１７ｆには、前後方向に延びる左右１対のレール部材１８が平行に架設される。レール部材１８は、断面がコの字形状であって、上壁部分と、この上壁部分と対向する下壁部分と、上壁部分の一方縁および下壁部分の一方縁と接続する横壁部分からなる。そして左右１対のレール部材１８は、これら上壁部分、横壁部分、および下壁部分によって三方を囲まれた開口が互いに向き合うよう、左右対称に配設される。スライドフレーム３１に取り付けられた車輪３４は、コの字断面に形成されたレール部材１８の内部に配置され、レール部材１８に沿って前後方向に転走する。これによりオットマン２１のフレーム組立体２２は、前後方向に変位する。また、レール部材１８の後端には、車輪３４が後方へ抜け出すことを防止するとともに、フレーム組立体２２をスライド不能に固定するロック機構６１が設けられている。
【００５３】
図８〜図１０は、オットマン２１のフレーム組立体２２および座席本体１１のフレーム組立体１１ｆを右方向からみた説明図である。図８は収納状態を示し、前述した図１および図３に対応する。図９は収納状態と使用状態との途中の状態であり、前述した図４に対応する。図１０は、フレーム組立体２２が図９の状態よりもさらに前方へ移動した状態を示す。図８と図９を対比すると、スライドフレーム３１の動きおよびロック機構６１の動きが理解できる。なお、各部材の前後方向および上下方向の位置関係の理解を容易にするため、図８〜図１０は各部材の左右方向の位置関係を必ずしも正確に表すものではないことに留意されたい。レール部材１８の前端には左右１対の車止め１９，１９が設けられており、車輪３４がレール部材１８よりも前方に抜け出ることはない。
【００５４】
ロック機構６１は、左右１対のレール部材１８の後端に架設された台座６１ｂと、台座６１ｂに回動可能に取り付けられたロック部材６２と、ロック部材６２を回動操作する操作レバー６３とを有する。ロック部材６２は、前部にフック部６４を、後部に回動軸６５およびアーム部６６を有し、左右方向に延びる回動軸６５を中心として回動することができる。そしてロック部材６２は、図８に示すようにロック部材６２のフック部６４が短手フレーム３３に係合するロック位置と、図９に示すようにロック部材６２のフック部６４が短手フレーム３３から離れる解除位置にされる。ロック位置では、スライドフレーム３１が前後方向移動不可能にされ、これによりオットマン２１は収納状態に保持される。また解除位置では、スライドフレーム３１が前後方向移動不可能にされ、これによりオットマン２１は座面１２下の座面下空間から前方へ移動することができる。
【００５５】
回動軸６５にはねじりばね６５ｓが組み込まれている。ねじりばね６５ｓは、台座６１ｂとロック部材６２との間に縮設されて、ロック部材６２をロック位置に付勢する。
【００５６】
ロック部材６２の後部に形成されたアーム部６６は、ロック部材６２の回動軸６５とフック部６４とを結ぶ仮想線に対して直角となるよう、回動軸６５から下方に突出する。そしてアーム部６６の先端が、ワイヤー６７の後端と回動可能に連結する。ワイヤー６７は、操作レバー６３から台座６１ｂまで延びてフレーム組立体１１ｆに配索されるチューブ６８に通されており、ワイヤー６７の後端がチューブ６８から突出して後方へ延び、ワイヤー６７の前端がチューブ６８から突出して上方へ延びる。ワイヤー６７の前端は、回動連結点６３ｊを介して操作レバー６３と回動可能に連結する。
【００５７】
操作レバー６３は、途中で直角に曲がったＬ字形状であり、その一端が座面フレーム１２ｆに回動軸６３ｏを介して回動可能に取り付けられる。操作レバー６３は、かかる一端から前方へ延びて途中に回動連結点６３ｊが設けられ、回動連結点６３ｊからさらに前方に延びて途中で直角に向きを変えて上方へ延びて他端に至る。他端を含む側である上下方向に延びる直線部分が握り部を構成する。被施療者が操作レバー６３を後方に倒すよう回動させると、回動連結点６３ｊが上方に移動する。これによりワイヤー６７がチューブ６８の中を移動し、ねじりばね６５ｓの付勢力に抗してロック部材６２をロック位置から解除位置へ引き上げる。
【００５８】
なお被施療者が操作レバー６３から手を放すと、ねじりばね６５ｓの付勢力によって、ロック部材６２はロック位置に復帰し、これに伴い操作レバー６３も図８に示すように元の位置に復帰する。
【００５９】
ロック部材６２はその前端が細くなる形状にされる。これによりスライドフレーム３１が前方から後方に移動して、短手フレーム３３がロック部材６２の前端に当接すると、ロック部材６２の前端を上方へ押しのけながら、ロック部材６２の下に潜り込む。これにより短手フレーム３３はフック部６４に係合することができ、スライドフレーム３１は前後方向移動不能に再びロックされる。
【００６０】
図７を参照して、台座６１ｂには左右１対のばね６９が取り付けられている。ばね６９は長手フレーム３２の後端を受け止め、長手フレーム３２がレール部材１８から後方に抜け出ることを防止する。また収納状態で、ばね６９は長手フレーム３２の後端と当接して台座６１ｂに向かって押し込まれ圧縮変形している。このため、ロック部材６２が解除位置へ引き上げられると、ばね６９に蓄えられていた圧縮力が解放され、ばね６９は長手フレーム３２を前方へ付勢する。ロック位置を示す図８と解除位置を示す図９を対比すると、解除位置ではスライドフレーム３１を含むフレーム組立体２２が前方へ進出することがわかる。フレーム組立体２２は、図１０に示すようにさらに前方へ移動することができる。なお図示しない変形例として、ばね６９を設けず、長手フレーム３２の後端が台座６１ｂに当接することによって長手フレーム３２の後方への抜け出しを防止するものであってもよい。
【００６１】
下腿保持部４１の回動動作につき説明する。
【００６２】
図１０〜図１２は、オットマン２１のフレーム組立体２２を右方向からみた説明図である。図１０は下腿保持部４１に含まれる柱材４４ｃおよび側壁板４４ｆ等が０°の水平姿勢にされた状態を示し、図１１は柱材４４ｃおよび側壁板４４ｆ等が傾斜姿勢にされた状態を示し、図１２は柱材４４ｃおよび側壁板４４ｆ等が９０°の垂直姿勢にされた状態を示す。なお、各部材の前後方向および上下方向の位置関係の理解を容易にするため、図１０〜図１２は各部材の左右方向の位置関係を必ずしも正確に表すものではないことに留意されたい。
【００６３】
図１０を参照して、案内部材４７は、長手フレーム３２前端同士を連結する短手フレーム３３に回動軸４９を介して連結され、かかる回動軸４９を基端とし、長孔４７ｓ側を遊端として回動する。回動軸４９にはねじりばね４９ｔが組み込まれている。ねじりばね４９ｔの一端は短手フレーム３３に当接し、ねじりばね４９ｔの他端は案内部材４７に当接する。そして、案内部材４７を前方へ起立する方向に、軽い力で付勢する。案内部材４７が後方へ倒れ込み、案内部材４７の遊端が最も後方にされた状態で、柱部材４４ｃは水平姿勢にされる。これにより、収納状態で下腿保持部４１の下腿保持面４２は上向き水平にされる。このとき長孔４７ｓを貫通するブラケット４８の突起４８ｐは、長孔４７ｓのなかで最も基端側に位置する。またこのとき、枠体５６は垂直姿勢にされ、枠体５６に沿って形成される足裏支持面５２は後ろ向き姿勢にされる。
【００６４】
被施療者が足で、枠体５６を含む足裏支持部５１を前方へ蹴り倒すと、図１１に示すように案内部材４７は回動起立し、柱部材４４ｃは傾斜姿勢にされる。これにより、使用状態で下腿保持部４１の下腿保持面４２は、被施療者の好みに応じて上向きかつ前向きの傾斜姿勢にされる（図２）。このとき長孔４７ｓを貫通するブラケット４８の突起４８ｐは、長孔４７ｓの長手方向中央領域に位置する（図１１）。
【００６５】
またオットマン２１は、後方に倒された下腿保持部４１を連結軸４３回りに起立するよう付勢する下腿保持部付勢部材として、ねじりばね４９ｔを有する。ねじりばね４９ｔは、被施療者が足で垂直姿勢の枠体５６を蹴り倒す力を軽減する。したがって被施療者は水平姿勢にされた下腿保持部４１を容易に起こすことができる。ただし、柱部材４４ｃが若干でも起き上がると案内部材４７はねじりばね４９ｔから離れる（図１１）。このため、柱部材４４ｃは傾斜姿勢で被施療者Ｌの下腿および足の力によって好みの傾斜角度にされる。
【００６６】
ここで付言すると、ねじりばね４９ｔのねじり力によるモーメントは、下腿保持部４１、より正確に言えば下腿保持部４１および足裏支持部５１、の自重による連結軸４３回りのモーメントよりも弱いため、被施療者が足で枠体５６を含む足裏支持部５１を前方へ蹴らなければ、枠体５６は図１０に示す垂直姿勢のままであり、枠体５６に沿って形成される足裏支持面５１は後ろ向きのままである。
【００６７】
また、図示しない変形例として、ねじりばね４９ｔを省略し、被施療者の足の力のみで水平状態の下腿保持部４１を回動起立させてもよい。
【００６８】
被施療者Ｌが足で、枠体５６を含む足裏支持部５１を下方に踏み込むと、案内部材４７は図１１に示す姿勢よりもさらに立ち上がるよう回動し、図１２に示すように柱部材４４ｃは垂直姿勢にされる。このとき長孔４７ｓを貫通するブラケット４８の突起４８ｐは、長孔４７ｓのなかで最も遊端側に位置する。
【００６９】
こうして案内部材４７は、突起４８ｐを長孔４７ｓに沿って案内することにより、下腿保持面４２の傾斜角度を０°の水平角度から９０°の垂直角度までの領域に規制する（図１０〜図１２）。
【００７０】
足裏支持部５１の上下動作につき説明する。
【００７１】
図１３および図１４は、オットマン２１のフレーム組立体２２を右方向からみた説明図である。図１３は、足裏支持部５１に含まれる枠体５６が、下腿保持部４１に含まれる側壁板４４ｆに、最も引き寄せられた状態を表す。図１４は、枠体５６が側壁板４４ｆから最も離れた状態を表す。なお、各部材の前後方向および上下方向の位置関係の理解を容易にするため、図１３および図１４は各部材の左右方向の位置関係を必ずしも正確に表すものではないことに留意されたい。また下腿保持部４１が垂直姿勢にされると足裏支持部５１が上下方向に動くことから、足裏支持部５１が動く方向を便宜上、上下方向と呼ぶが、下腿保持部４１が水平姿勢にされると足裏支持部５１は前後方向に動くことに留意されたい。
【００７２】
ロッド５３は、細長く延びる中空円筒になっており、ロッド５３の上端５３ｅ側が側壁板４４ｆにスライド可能に取り付けられる。そしてロッド５３の下端が枠体５６に固定される。具体的には、ロッド５３の上端５３ｅから中央領域までが、側壁板４４ｆに設けられた２個１対のローラ５７に挟持される。ローラ５７は、側壁板４４ｆの上側および下側に１対ずつ設けられており、これら２対のローラ５７の回転によってロッド５３は下方に繰り出され、あるいは上方に引き込まれる。そしてロッド５３が下方へ繰り出されて枠体５６を下方へ動作させる。あるいはロッド５３が上方へ引き込まれて枠体５６を上方へ動作させる。なおロッド５３の上端５３ｅは１対のローラ５７，５７の間隔よりも大径にされており、かかる上端５３ｅが２個１対のローラ５７を越えて下方に繰り出されることはない。したがってロッド５３がローラ５７から離脱することが防止される。
【００７３】
パイプ状のロッド５３の内部にはばね５８が張り渡されている。ばね５８の下端はロッド５３の下端部に係止され、ばね５８の上端はローラ５７よりも上方で側壁板４４ｆに設けられた係止突起５３ｕに係止され、ばね５８をロッド５３の内部空間に保持する。ロッド５３が下方へ繰り出されると、ばね５８が引っ張られて枠体５６を上方へ付勢する。このようにばね５８は足裏支持部５１を上方へ付勢する足裏支持部付勢部材であり、足裏支持部５１は下腿保持部４１に向かって付勢される。
【００７４】
ここで付言すると、被施療者Ｌの足が枠体５６を下方へ踏み込むことにより、踏み込み力に対応して図１１に示すように枠体５６の角度および高さが変化する。そして座面１２に座っていた被施療者が、被施療者Ｌの足を枠体５６（正確には足裏保持面５２）に載せたまま立ち上がると、図１２に示すように枠体５６が設置面Ｇまで下降し、設置面Ｇに沿うよう位置する。
【００７５】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００７６】
この発明になるマッサージ機は、医療機器において有利に利用される。
【符号の説明】
【００７７】
１０  マッサージ機、１１  座席本体、１２  座面、１３  座部、２１  オットマン、３１  スライドフレーム、４１  下腿保持部、４３  連結軸、５１  足裏支持部、  ６１  ロック機構、６２  ロック部材、６７  ワイヤー。
【図１】
0005906514.tif 000002
【図２】
0005906514.tif 000003
【図３】
0005906514.tif 000004
【図４】
0005906514.tif 000005
【図５】
0005906514.tif 000006
【図６】
0005906514.tif 000007
【図７】
0005906514.tif 000008
【図８】
0005906514.tif 000009
【図９】
0005906514.tif 000010
【図１０】
0005906514.tif 000011
【図１１】
0005906514.tif 000012
【図１２】
0005906514.tif 000013
【図１３】
0005906514.tif 000014
【図１４】
0005906514.tif 000015